(57)【要約】【課題】本発明は、台車上にパチンコ台の下部が係留可能な凹部を設けることによりパチンコ玉収納箱とパチンコ台との運搬を兼用することができるパチンコ玉運搬用台車を提供することを目的とするものである。【解決手段】本発明は、下部に前輪３および後輪４が取り付けられて全方向の移動可能なパチンコ玉収納箱載置台７と、該パチンコ玉収納箱載置台７の後端に立設される手押しアーム１１とから構成されるパチンコ玉運搬用台車１において、前記パチンコ玉収納箱載置台７の後端から前端の略中央位置にパチンコ台の側端が挿入可能なパチンコ台係留用凹部６が形成される。【選択図】図１
2007125281.tif 000002
【特許請求の範囲】
【請求項１】
下部に前輪および後輪が取り付けられて全方向の移動可能なパチンコ玉収納箱載置台と、該パチンコ玉収納箱載置台の後端に立設される手押しアームとから構成されるパチンコ玉運搬用台車において、
前記パチンコ玉収納箱載置台の後端から前端の略中央位置にパチンコ台の側端が挿入可能なパチンコ台係留用凹部が形成される
ことを特徴とするパチンコ玉運搬用台車。
【請求項２】
前記パチンコ玉収納箱載置台の横幅がパチンコ玉収納箱の横幅と略同等とされる
ことを特徴とする請求項１記載のパチンコ玉運搬用台車。
【請求項３】
前記手押しアームが着脱自在とされる
ことを特徴とする請求項１または２記載のパチンコ玉運搬用台車。
【発明の詳細な説明】
【技術分野】
【０００１】
本発明は、パチンコ玉運搬用台車に関する。詳しくは複数個のパチンコ玉収納箱の運搬とパチンコ台の運搬を行うことができるパチンコ玉運搬用台車に係るものである。
【背景技術】
【０００２】
パチンコは、大衆遊技として男女を問わず、若年層から老人層に至るまで広く普及している。パチンコ台から出てきたパチンコ玉は、先ず、直方体状の小型収納箱に収納するようになっているが、最近では、出玉量も膨大となっていて、４箱から５箱の大型収納箱を一杯にすることも可能となっている。そして、ゲーム終了後は図５に示すようなパチンコ玉運搬用台車１０１上に数箱重ねた状態で積載し、パチンコ玉計数器の位置までパチンコ玉運搬用台車１０１を押していき、パチンコ玉の数を計数してもらい、その数に対応した景品などと交換している。
【０００３】
【特許文献１】特開平９−３０８７６５号公報
【発明の開示】
【発明が解決しようとする課題】
【０００４】
ところでパチンコ台は、人が通れるほどの間隔を設けた島と呼ばれる仕切り壁に取り付けられる。したがって、パチンコ玉運搬用としての台車の幅は、できるだけ狭いほうがよく、そのほとんどの台車幅は、収納箱が載せられる横幅とされている。
【０００５】
したがってホール内ではパチンコ玉運搬用台車は、パチンコ収納箱の運搬にしか使用されていないのが現状である。
【０００６】
いっぽう、パチンコホールでは定期的に新機種のパチンコ台の入れ替わりが行われる。この入れ替え作業の場合では、島間の通路が狭いために一般の台車を使用することができず、パチンコ台を抱えての人による運搬が行われているが、新機種のパチンコ台の入れ替えでは、台数が多いために煩雑、かつ重労働となる問題がある。
【０００７】
そこでパチンコ玉運搬用台車上にパチンコ台を載せて運搬するパチンコホールもあるが、このパチンコ玉運搬用台車上では平面、かつ幅が狭いためにパチンコ台が運搬中に台車から滑り落ちたり、またパチンコ台が台車から落ちないように常に手で押えなければならず、作業効率が悪い問題がある。
【０００８】
本発明は、以上の点に鑑みて創案されたものであって、台車上にパチンコ台の下部が係留可能な凹部を設けることによりパチンコ玉収納箱とパチンコ台との運搬を兼用することができるパチンコ玉運搬用台車を提供することを目的とするものである。
【課題を解決するための手段】
【０００９】
上記の目的を達成するために、本発明に係るパチンコ玉運搬用台車は、下部に前輪および後輪が取り付けられて全方向の移動可能なパチンコ玉収納箱載置台と、該パチンコ玉収納箱載置台の後端に立設される手押しアームとから構成されるパチンコ玉運搬用台車において、前記パチンコ玉収納箱載置台の後端から前端の略中央位置にパチンコ台の側端が挿入可能なパチンコ台係留用凹部が形成される。
【００１０】
ここで、パチンコ玉収納箱載置台の後端から前端の略中央位置にパチンコ台の側端が挿入可能なパチンコ台係留用凹部が形成されることにより、通常はパチンコ玉収納箱の運搬として使用し、新機種の入れ替えなどによるパチンコ台の運搬の際には、パチンコ台の下端をパチンコ台係留用凹部に挿入して載置することにより、滑り落ちずに安定したパチンコ台の運搬が可能となる。
【発明の効果】
【００１１】
本発明を適用したパチンコ玉運搬用台車では、新機種の入れ替えによるパチンコ台の運搬の場合には、パチンコ台下端を台車上の中央に沿って設けられる凹部に嵌合することによってパチンコ台が台車から滑る落ちることなく、安定した運搬を行うことが可能となる。
【００１２】
また、台車の横幅がパチンコ玉収納箱の横幅をほぼ同じ幅とされるので台車上のパチンコ玉収納箱を積載する場合に、凹部を覆うような状態で載置されるために支障なく、複数のパチンコ玉収納箱を積載することが可能となる。
【発明を実施するための最良の形態】
【００１３】
以下、本発明の実施の形態を図面を参酌しながら説明し、本発明の理解に供する。
図１は、本発明を適用したパチンコ玉運搬用台車の一例を示す斜視図である。
【００１４】
ここで示すパチンコ玉運搬用台車１は、基板２の前後下部に左右方向への回動が自在とされるキャスター付き前輪３と、前後方向のみ回転する後輪４が装着される。
【００１５】
この基板２は図２に示すように、パチンコ玉収納箱の全長および横幅長さに合わせた大きさとされる。そして基板２上に、その中央の長手方向に沿ってパチンコ台係留用凹部６が形成されるパチンコ玉収納箱載置台７が設けられるものである。
【００１６】
前記パチンコ玉収納箱載置台７は、アルミニウムなどの軽量金属板を、その中央に沿ってパチンコ台係留用凹部６が形成されるように折り曲げ形成され、基板２上に締結用ネジ８などによって装着される。
【００１７】
また、パチンコ玉収納箱載置台７の上面にはパチンコ玉収納箱５が滑り落ち難いように格子状の滑り止め部９が形成されるものである。また、前記パチンコ玉収納箱載置台７の後部には、手押しアーム係止穴１０が開口される。
【００１８】
この手押しアーム係止穴９内には、ステンレス製のパイプを逆Ｕ字形状に折り曲げた手押しアーム１１の下端を差し込むことによってパチンコ玉収納箱載置台７後部に立設するものである。
【００１９】
なお、手押しアーム１１は着脱自在とすることで梱包する場合や持ち運ぶ場合では手押しアーム１１を外してコンパクト化する構成とする。
【００２０】
また、必ずしも手押しアームは本実施例で詳述するように差込み機構とする必要性は無く、例えば手押しアーム下端とパチンコ玉収納箱載置台とを傾倒および起立可能な連結金具によって接続する機構としても構わない。
【００２１】
以上の構成よりなる本発明のパチンコ玉運搬用台車では、図３に示すように、パチンコゲーム終了後に、パチンコ玉の詰まったパチンコ玉収納箱５をパチンコ玉運搬用台車１のパチンコ玉収納箱載置台７上に載置する。
【００２２】
この場合には、パチンコ玉収納箱５の底面がパチンコ台係留用凹部６を跨いだ状態で載置される。また、ゲーム終了時における出玉量は、パチンコ玉収納箱が４箱から５箱を一杯にすることも多く、前記パチンコ玉収納箱５上に複数段を積み重ねる。
【００２３】
そして手押しアーム１１を押しながら島と島との通路を走行してパチンコ玉計数器の位置にまで持って行く。
【００２４】
また、図４に示すように、新機種のパチンコ台の入れ替えによるパチンコ台の運搬においては、パチンコ台１２の下端部分をパチンコ玉運搬用台車１のパチンコ玉収納箱載置台７のパチンコ台係留用凹部６内に挿入し、立てた状態で載置する。
【００２５】
そして片手でパチンコ台１２の上端を押さえながら手押しアーム１１を押し、所定位置まで持って行く。また、２人で運搬する場合には一方の者がパチンコ台１２の先端側を手で押さえ、他方の者が手押しアーム１１を押して運搬する。
【００２６】
このようにパチンコ台１２の下端をパチンコ台係留用凹部６内に挿入することによって下部が固定され、滑り落ちることがなく安定した運搬が可能となる。また、パチンコ玉運搬用台車１の横幅がパチンコ玉収納箱５幅と略同幅とされることにより、島間の狭い通路を支障なくスムーズに走行することが可能となる。
【図面の簡単な説明】
【００２７】
【図１】本発明を適用したパチンコ玉運搬用台車の一例を示す斜視図である。
【図２】図１における断面説明図である。
【図３】本発明を適用したパチンコ玉運搬用台車の使用例を示す説明図である。
【図４】本発明を適用したパチンコ玉運搬用台車の他の使用例を示す説明図である。
【図５】従来のパチンコ玉運搬用台車の一例を示す説明図である。
【符号の説明】
【００２８】
１      パチンコ玉運搬用台車
２      基板
３      前輪
４      後輪
５      パチンコ玉収納箱
６      パチンコ台係留用凹部
７      パチンコ玉収納箱載置台
８      締結用ネジ
９      滑り止め部
１０    手押しアーム係止穴
１１    手押しアーム
１２    パチンコ台
【図１】
2007125281.tif 000003
【図２】
2007125281.tif 000004
【図３】
2007125281.tif 000005
【図４】
2007125281.tif 000006
【図５】
2007125281.tif 000007